(57)【要約】【課題】アリールハイドロカーボン受容体とリガンドの間の結合を短時間でかつ高感度で電気化学的シグナルとして検出することができるアリールハイドロカーボン受容体固定化電極を提供する。【解決手段】以下の（１）〜（４）の要素を含むことを特徴とするアリールハイドロカーボン受容体固定化電極：（１）      導電性基板；（２）      導電性基板に対する吸着部位とニッケル錯体又はコバルト錯体に対する２つの錯体配位子とを有する二官能性固定化試薬であって、吸着部位を介して導電性基板に固定化されている二官能性固定化試薬；（３）二官能性固定化試薬の２つの錯体配位子にそれぞれ結合されているニッケル錯体又はコバルト錯体；及び（４）ヒスチジンタグを有するアリールハイドロカーボン受容体であって、ヒスチジンタグを介してニッケル錯体又はコバルト錯体に結合されているアリールハイドロカーボン受容体。【選択図】        図２
2004264174.tif 000002
【特許請求の範囲】
【請求項１】
以下の（１）〜（４）の要素を含むことを特徴とするアリールハイドロカーボン受容体固定化電極：
（１）  導電性基板；
（２）  導電性基板に対する吸着部位とニッケル錯体又はコバルト錯体に対する２つの錯体配位子とを有する二官能性固定化試薬であって、吸着部位を介して導電性基板に固定化されている二官能性固定化試薬；
（３）  二官能性固定化試薬の２つの錯体配位子にそれぞれ結合されているニッケル錯体又はコバルト錯体；及び
（４）  ヒスチジンタグを有するアリールハイドロカーボン受容体であって、ヒスチジンタグを介してニッケル錯体又はコバルト錯体に結合されているアリールハイドロカーボン受容体。
【請求項２】
導電性基板が金電極であり、吸着部位がイオウ含有基であることを特徴とする請求項１記載のアリールハイドロカーボン受容体固定化電極。
【請求項３】
吸着部位がジスルフィド基であることを特徴とする請求項２記載のアリールハイドロカーボン受容体固定化電極。
【請求項４】
錯体配位子がニトリルトリ酢酸又はイミノ二酢酸であることを特徴とする請求項１〜３のいずれか一項記載のアリールハイドロカーボン受容体固定化電極。
【請求項５】
二官能性固定化試薬の錯体配位子と吸着部位との間にリンカー部位が設けられていることを特徴とする請求項１〜４のいずれか一項記載のアリールハイドロカーボン固定化電極。
【請求項６】
二官能性固定化試薬がその分子構造の両端にそれぞれ錯体配位子を有し、その分子構造の中央に吸着部位を有することを特徴とする請求項１〜５のいずれか一項記載のアリールハイドロカーボン受容体固定化電極。
【請求項７】
アリールハイドロカーボン受容体がヒト由来であることを特徴とする請求項１〜６のいずれか一項記載のアリールハイドロカーボン受容体固定化電極。
【請求項８】
アリールハイドロカーボン受容体が組換えアリールハイドロカーボン受容体であることを特徴とする請求項７記載のアリールハイドロカーボン受容体固定化電極。
【請求項９】
組換えアリールハイドロカーボン受容体がリガンド結合部位及びＨｓｐ９０結合部位を少なくとも含むことを特徴とする請求項８記載のアリールハイドロカーボン受容体固定化電極。
【請求項１０】
以下の（イ）〜（ニ）の工程を含むことを特徴とするアリールハイドロカーボン受容体固定化電極の製造方法：
（イ）  以下の（１）〜（４）の要素を準備する：
（１）  導電性基板；
（２）  導電性基板に対する吸着部位とニッケル錯体又はコバルト錯体に対する２つの錯体配位子とを有する二官能性固定化試薬；
（３）  ニッケル錯体又はコバルト錯体；及び
（４）  ヒスチジンタグを有するアリールハイドロカーボン受容体；
（ロ）  導電性基板に二官能性固定化試薬を吸着部位を介して固定化させる；
（ハ）  二官能性固定化試薬の２の錯体配位子にそれぞれニッケル錯体又はコバルト錯体を結合させる；及び
（ニ）  ニッケル錯体又はコバルト錯体にアリールハイドロカーボン受容体をヒスチジンタグを介して結合させる。
【請求項１１】
導電性基板が金電極であり、吸着部位がイオウ含有基であることを特徴とする請求項１０記載のアリールハイドロカーボン受容体固定化電極の製造方法。
【請求項１２】
吸着部位がジスルフィド基であることを特徴とする請求項１１記載のアリールハイドロカーボン受容体固定化電極の製造方法。
【請求項１３】
錯体配位子がニトリルトリ酢酸又はイミノ二酢酸であることを特徴とする請求項１０〜１２のいずれか一項記載のアリールハイドロカーボン受容体固定化電極の製造方法。
【請求項１４】
二官能性固定化試薬の錯体配位子と吸着部位との間にリンカー部位が設けられていることを特徴とする請求項１０〜１３のいずれか一項記載のアリールハイドロカーボン固定化電極の製造方法。
【請求項１５】
二官能性固定化試薬がその分子構造の両端にそれぞれ錯体配位子を有し、その分子構造の中央に吸着部位を有することを特徴とする請求項１０〜１４のいずれか一項記載のアリールハイドロカーボン受容体固定化電極の製造方法。
【請求項１６】
アリールハイドロカーボン受容体がヒト由来であることを特徴とする請求項１０〜１５のいずれか一項記載のアリールハイドロカーボン受容体固定化電極の製造方法。
【請求項１７】
アリールハイドロカーボン受容体が組換えアリールハイドロカーボン受容体であることを特徴とする請求項１６記載のアリールハイドロカーボン受容体固定化電極の製造方法。
【請求項１８】
組換えアリールハイドロカーボン受容体がリガンド結合部位及びＨｓｐ９０結合部位を少なくとも含むことを特徴とする請求項１７記載のアリールハイドロカーボン受容体固定化電極の製造方法。
【請求項１９】
（ロ）〜（ニ）の各工程が溶液中で行われることを特徴とする請求項１０〜１８のいずれか一項記載のアリールハイドロカーボン受容体固定化電極の製造方法。
【請求項２０】
作用電極としての請求項１〜９のいずれか一項記載のアリールハイドロカーボン受容体固定化電極、及び酸化還元性マーカーを含むことを特徴とする電気化学的分析装置。
【請求項２１】
酸化還元性マーカーがＫ４Ｆｅ（ＣＮ）６／Ｋ３Ｆｅ（ＣＮ）６、フェロセン、又はヘキサアミンルテニウム（ＩＩＩ）錯体であることを特徴とする請求項２０記載の電気化学的分析装置。
【請求項２２】
参照極及び対極をさらに含むことを特徴とする請求項２０又は２１記載の電気化学的分析装置。
【請求項２３】
電気化学的分析がサイクリックボルタンメトリー、微分パルスボルタンメトリー、又はアンペロメトリーによって電流電位特性を測定することを含むことを特徴とする請求項２０〜２２のいずれか一項記載の電気化学的分析装置。
【請求項２４】
以下の工程を含むことを特徴とする、試料溶液中にアリールハイドロカーボン受容体に対するリガンドが存在するか否かを判断する方法：
アリールハイドロカーボン受容体に対するリガンドを含有する可能性がある試料溶液を準備する；
請求項１〜９のいずれか一項記載のアリールハイドロカーボン受容体固定化電極を作用電極とし、酸化還元性マーカーの存在下に前記試料溶液の電流電位特性を測定するか又は請求項２０〜２３のいずれか一項記載の電気化学的分析装置を用いて前記試料溶液の電流電位特性を測定する；及び
測定された試料溶液の電流電位特性を、アリールハイドロカーボン受容体に対するリガンドを含有しないコントロール溶液の電流電位特性と比較し、両者の間に有意な差があれば前記試料溶液中にアリールハイドロカーボン受容体に対するリガンドが存在すると判断し、一方両者の間に有意な差がなければ前記試料溶液中にアリールハイドロカーボン受容体に対するリガンドが存在しないと判断する。
【請求項２５】
試料溶液が環境から採取された試料から調製されたものであることを特徴とする請求項２４記載の方法。
【請求項２６】
リガンドがダイオキシン、ベンゾ（ａ）ピレン、又はβ−ナフトフラボンであることを特徴とする請求項２４または２５記載の方法。
【請求項２７】
酸化還元性マーカーがＫ４Ｆｅ（ＣＮ）６／Ｋ３Ｆｅ（ＣＮ）６、フェロセン、又はヘキサアミンルテニウム（ＩＩＩ）錯体であることを特徴とする請求項２４〜２６のいずれか一項記載の方法。
【請求項２８】
電流電位特性がサイクリックボルタンメトリー、微分パルスボルタンメトリー、又はアンペロメトリーによって測定されることを特徴とする請求項２４〜２７のいずれか一項記載の方法。
【請求項２９】
以下の工程を含むことを特徴とする、試料溶液中に存在するアリールハイドロカーボン受容体に対するリガンドの濃度を決定する方法：
アリールハイドロカーボン受容体に対するリガンドを含有する試料溶液を準備する；
請求項１〜９のいずれか一項記載のアリールハイドロカーボン受容体固定化電極を作用電極とし、酸化還元性マーカーの存在下に前記試料溶液の電流電位特性を測定するか又は請求項２０〜２３のいずれか一項記載の電気化学的分析装置を用いて前記試料溶液の電流電位特性を測定する；及び
測定された試料溶液の電流電位特性を、アリールハイドロカーボン受容体に対するリガンドを既知の濃度で含有するコントロール溶液の電流電位特性と比較し、それによって前記試料溶液中に存在するアリールハイドロカーボン受容体に対するリガンドの濃度を決定する。
【請求項３０】
試料溶液が環境から採取された試料から調製されたものであることを特徴とする請求項２９記載の方法。
【請求項３１】
リガンドがダイオキシン、ベンゾ（ａ）ピレン、又はβ−ナフトフラボンであることを特徴とする請求項２９または３０記載の方法。
【請求項３２】
酸化還元性マーカーがＫ４Ｆｅ（ＣＮ）６／Ｋ３Ｆｅ（ＣＮ）６、フェロセン、又はヘキサアミンルテニウム（ＩＩＩ）錯体であることを特徴とする請求項２９〜３１のいずれか一項記載の方法。
【請求項３３】
電流電位特性がサイクリックボルタンメトリー、微分パルスボルタンメトリー、又はアンペロメトリーによって測定されることを特徴とする請求項２９〜３２のいずれか一項記載の方法。
【請求項３４】
アリールハイドロカーボン受容体に対するリガンドを既知の濃度で含有するコントロール溶液の電流電位特性が、検量線として表されていることを特徴とする請求項２９〜３３のいずれか一項記載の方法。
【請求項３５】
以下の工程を含むことを特徴とする、化学物質がアリールハイドロカーボン受容体に対する結合活性を有するか否かを判断する方法：
化学物質を含有する試料溶液を準備する；
請求項１〜９のいずれか一項記載のアリールハイドロカーボン受容体固定化電極を作用電極とし、酸化還元性マーカーの存在下に前記試料溶液の電流電位特性を測定するか又は請求項２０〜２３のいずれか一項記載の電気化学的分析装置を用いて前記試料溶液の電流電位特性を測定する；
測定された試料溶液の電流電位特性を、アリールハイドロカーボン受容体に対するいかなるリガンドをも含有しないコントロール溶液の電流電位特性と比較する；及び
比較の結果、両者の間に有意な差があれば前記化学物質がアリールハイドロカーボン受容体に対する結合活性を有すると判断し、一方両者の間に有意な差がなければ前記化学物質がアリールハイドロカーボン受容体に対する結合活性を有さないと判断する。
【請求項３６】
酸化還元性マーカーがＫ４Ｆｅ（ＣＮ）６／Ｋ３Ｆｅ（ＣＮ）６、フェロセン、又はヘキサアミンルテニウム（ＩＩＩ）錯体であることを特徴とする請求項３５記載の方法。
【請求項３７】
電流電位特性がサイクリックボルタンメトリー、微分パルスボルタンメトリー、又はアンペロメトリーによって測定されることを特徴とする請求項３５または３６記載の方法。
【請求項３８】
以下の工程を含むことを特徴とする、アリールハイドロカーボン受容体が前記受容体に対するリガンドと結合したときに誘起される前記受容体の構造変化又は機能変化を解析する方法：
アリールハイドロカーボン受容体に対するリガンドを含有する試料溶液を準備する；
請求項１〜９のいずれか一項記載のアリールハイドロカーボン受容体固定化電極を作用電極とし、酸化還元性マーカーの存在下に前記試料溶液の電流電位特性を測定するか又は請求項２０〜２３のいずれか一項記載の電気化学的分析装置を用いて前記試料溶液の電流電位特性を測定する；及び
測定された試料溶液の電流電位特性を解析する。
【請求項３９】
リガンドがダイオキシン、ベンゾ（ａ）ピレン、又はβ−ナフトフラボンであることを特徴とする請求項３８記載の方法。
【請求項４０】
酸化還元性マーカーがＫ４Ｆｅ（ＣＮ）６／Ｋ３Ｆｅ（ＣＮ）６、フェロセン、又はヘキサアミンルテニウム（ＩＩＩ）錯体であることを特徴とする請求項３８又は３９記載の方法。
【請求項４１】
電流電位特性がサイクリックボルタンメトリー、微分パルスボルタンメトリー、又はアンペロメトリーによって測定されることを特徴とする請求項３８〜４０のいずれか一項記載の方法。
【発明の詳細な説明】
【０００１】
【発明が属する技術分野】
本発明は受容体とリガンドの間の結合を電気化学的シグナルとして検出するための電気化学センサ（受容体固定化電極）に関する。特に、本発明はダイオキシン類や多環芳香族炭化水素化合物などの環境汚染物質を検出するための電気化学センサに関する。また、本発明はかかる電気化学センサの製造方法、かかる電気化学センサを含む電気化学的分析装置、及びかかる電気化学センサの用途にも関する。
【０００２】
【従来の技術】
化学物質の中にはホルモンの代わりに受容体に結合して内分泌系を攪乱するものがある。例えば、ＤＤＴやビスフェノールＡなどはエストロゲン（女性ホルモン）受容体に結合してしまい、生体の必要性に関係なくエストロゲン（女性ホルモン）作用を起こさせることが知られている。
【０００３】
ホルモンは組織の発生や分化、成長、体内の恒常性の維持などの様々な生理的作用を有する物質である。ホルモンがその作用を発揮するためには受容体と結合することが必要である。つまり、内分泌臓器の細胞で合成されたホルモンは血液を介して標的臓器に到達し、そこで受容体と結合して複合体を形成する。次にこの複合体が細胞核へと輸送されて標的遺伝子の発現を誘導し、これにより生理作用を起こす標的タンパク質が生産されて様々な作用を起こす。
【０００４】
アリールハイドロカーボン受容体（通称ダイオキシン受容体、ＡｈＲ）はヒトの代謝系にかかわる重要な転写因子である。アリールハイドロカーボン受容体はいわゆるオーファンレセプターの一種であり、その正規のリガンド（つまり、結合すべきホルモン）はいまだ明らかとなっていない。しかし、ダイオキシン類や多環芳香族炭化水素化合物などの環境汚染物質はアリールハイドロカーボン受容体に結合し、人体に重篤な傷害をもたらすことが知られている。即ち、ダイオキシン類や多環芳香族炭化水素化合物などの環境汚染物質がアリールハイドロカーボン受容体に結合すると肝臓のミクロソーム中のチトクロームＰ４５０酵素を誘導し、様々な物質の代謝を変化させ、抗男性ホルモン作用、抗女性ホルモン作用、甲状腺ホルモンの機能低下、免疫異常、アレルギー反応の異常、口蓋裂などの奇形を生じさせる。従って、環境の安全性を確認するため、環境中の上記環境汚染物質を検出又は測定する技術の開発が求められている。
【０００５】
また、上述のダイオキシン類や多環芳香族炭化水素化合物以外に、現在流通する１０万種類に及ぶ化学物質の中にはアリールハイドロカーボン受容体と結合し、類似の毒性を示すものが多数含まれていると考えられている。従って、これらの化学物質の安全性を確認するため、これらの化学物質の健康リスクを評価する技術の開発が求められている。
【０００６】
また、生理的作用に関わる受容体がリガンドと結合したときにどのような構造変化又は機能変化が誘起されるのかを知ることは医薬品や疾病治療方法を開発する上で重要であるが、アリールハイドロカーボン受容体がリガンドと結合したときに誘起される受容体の構造変化又は機能変化の詳細はいまだ明らかとなっていない。
【０００７】
現在、環境汚染物質を測定する方法としては大型機器を用いる機器分析方法と、培養細胞又は抗体を用いるバイオアッセイ方法の２つが主に知られている。前者はレーザー照射によって化合物をフラグメンテーション化し、その質量を分析する方法である。この方法は毒性が既知の物質の測定方法としては優れているが、化学物質の毒性評価（アリールハイドロカーボン受容体との結合活性評価）に用いることは不可能である。また使用する機器が大型であり、かつ非常に高価であることも欠点である。一方、後者のバイオアッセイ方法は測定物質の毒性評価が可能ではあるが、測定に長時間（最短５時間から一週間程度）を要する上、数段階にわたる煩雑な実験操作が必要である。また培養細胞を用いるアッセイ方法では、測定物質の細胞膜透過性により測定の定量性が損なわれてしまうことも大きな問題点である。
【０００８】
これらの方法の欠点に鑑み、本発明者らは金電極の如き導電性基板上に一官能性固定化試薬を介してニッケル錯体又はコバルト錯体が固定化され、さらに前記錯体に結合したヒスチジンタグを介して受容体が固定化されて構成される受容体固定化電極（電気化学センサ）及びかかる電気化学センサを用いた内分泌攪乱物質検出方法を提案している（非特許文献１）。この電気化学センサは受容体とリガンドの間の結合を電気化学的シグナルとして検出するため、短時間で内分泌攪乱物質を検出することができるという利点を有する。しかし、この電気化学センサは応答感度が十分でなく、実用に耐えうるものではなかった。
【０００９】
【非特許文献１】
第７９回日本化学会講演予稿集（２００１年）、講演番号３Ｆ４０４及び３Ｆ４０７他
【００１０】
【発明が解決しようとする課題】
本発明の第１の目的は、アリールハイドロカーボン受容体とリガンドの間の結合を短時間でかつ高感度で電気化学的シグナルとして検出することができるアリールハイドロカーボン受容体固定化電極を提供することである。
【００１１】
本発明の第２の目的は、かかるアリールハイドロカーボン受容体固定化電極の製造方法を提供することである。
【００１２】
本発明の第３の目的は、かかるアリールハイドロカーボン受容体固定化電極を含む電気化学的分析装置を提供することである。
【００１３】
本発明の第４の目的は、短時間でかつ高感度で環境汚染物質を定性的に検出する方法を提供することである。
【００１４】
本発明の第５の目的は、短時間でかつ高感度で環境汚染物質を定量的に測定する方法を提供することである。
【００１５】
本発明の第６の目的は、短時間でかつ高感度で化学物質の健康リスクを評価する方法を提供することである。
【００１６】
本発明の第７の目的は、アリールハイドロカーボン受容体がリガンドと結合したときに誘起される受容体の構造変化又は機能変化を解析する方法を提供することである。
【００１７】
【課題を解決するための手段】
本発明者らは上記課題を解決すべくアリールハイドロカーボン受容体の電極への固定化方法について鋭意研究した結果、先に提案した受容体固定化電極の構成要素中の一官能性固定化試薬を二官能性固定化試薬に置換することによりアリールハイドロカーボン受容体固定化電極の感度が著しく増大すること、かかるアリールハイドロカーボン受容体固定化電極を用いると環境汚染物質の定性的検出もしくは定量的測定、又は化学物質の健康リスクの評価を短時間でかつ高感度で行うことができること、及びかかるアリールハイドロカーボン受容体固定化電極を用いるとアリールハイドロカーボン受容体がリガンドと結合したときに誘起される受容体の構造変化又は機能変化を解析することができることを見出し、遂に本発明を想到するに至った。
【００１８】
本発明の第１の側面によれば、以下の（１）〜（４）の要素を含むことを特徴とするアリールハイドロカーボン受容体固定化電極が提供される：
（１）      導電性基板；
（２）      導電性基板に対する吸着部位とニッケル錯体又はコバルト錯体に対する２つの錯体配位子とを有する二官能性固定化試薬であって、吸着部位を介して導電性基板に固定化されている二官能性固定化試薬；
（３）      二官能性固定化試薬の２つの錯体配位子にそれぞれ結合されているニッケル錯体又はコバルト錯体；及び
（４）      ヒスチジンタグを有するアリールハイドロカーボン受容体であって、ヒスチジンタグを介してニッケル錯体又はコバルト錯体に結合されているアリールハイドロカーボン受容体。
【００１９】
本発明のアリールハイドロカーボン受容体固定化電極の好ましい実施態様においては、導電性基板は金電極であり、吸着部位はジスルフィド基の如きイオウ含有基であり、錯体配位子はニトリルトリ酢酸又はイミノ二酢酸である。
【００２０】
本発明のアリールハイドロカーボン受容体固定化電極の好ましい実施態様においては、二官能性固定化試薬の錯体配位子と吸着部位との間にリンカー部位が設けられており、二官能性固定化試薬はその分子構造の両端にそれぞれ錯体配位子を有し、その分子構造の中央に吸着部位を有する。
【００２１】
本発明のアリールハイドロカーボン受容体固定化電極の好ましい実施態様においては、アリールハイドロカーボン受容体はヒト由来の組換えアリールハイドロカーボン受容体であり、前記組換えアリールハイドロカーボン受容体はリガンド結合部位及びＨｓｐ９０結合部位を少なくとも含む。
【００２２】
本発明の第２の側面によれば、以下の（イ）〜（ニ）の工程を含むことを特徴とするアリールハイドロカーボン受容体固定化電極の製造方法が提供される：
（イ）  以下の（１）〜（４）の要素を準備する：
（１）    導電性基板；
（２）    導電性基板に対する吸着部位とニッケル錯体又はコバルト錯体に対する２つの錯体配位子とを有する二官能性固定化試薬；
（３）    ニッケル錯体又はコバルト錯体；及び
（４）    ヒスチジンタグを有するアリールハイドロカーボン受容体；
（ロ）  導電性基板に二官能性固定化試薬を吸着部位を介して固定化させる；
（ハ）二官能性固定化試薬の２つの錯体配位子にそれぞれニッケル錯体又はコバルト錯体を結合させる；及び
（ニ）ニッケル錯体又はコバルト錯体にアリールハイドロカーボン受容体をヒスチジンタグを介して結合させる。
【００２３】
本発明のアリールハイドロカーボン受容体固定化電極の製造方法の好ましい実施態様においては、上記（ロ）〜（二）の各工程は溶液中で行われる。
【００２４】
本発明の第３の側面によれば、作用電極としてのかかるアリールハイドロカーボン受容体固定化電極、及び酸化還元性マーカーを含むことを特徴とする電気化学的分析装置が提供される。
【００２５】
本発明の電気化学的分析装置の好ましい実施態様においては、酸化還元性マーカーはＫ４Ｆｅ（ＣＮ）６／Ｋ３Ｆｅ（ＣＮ）６、フェロセン、又はヘキサアミンルテニウム（ＩＩＩ）錯体であり、電気化学的分析装置は参照電極及び対極をさらに含み、電気化学的分析はサイクリックボルタンメトリー、微分パルスボルタンメトリー、又はアンペロメトリーによって電流電位特性を測定することを含む。
【００２６】
本発明の第４の側面によれば、以下の工程を含むことを特徴とする、試料溶液中にアリールハイドロカーボン受容体に対するリガンドが存在するか否かを判断する方法が提供される：
アリールハイドロカーボン受容体に対するリガンドを含有する可能性がある試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；及び
測定された試料溶液の電流電位特性を、アリールハイドロカーボン受容体に対するリガンドを含有しないコントロール溶液の電流電位特性と比較し、両者の間に有意な差があれば前記試料溶液中にアリールハイドロカーボン受容体に対するリガンドが存在すると判断し、一方両者の間に有意な差がなければ前記試料溶液中にアリールハイドロカーボン受容体に対するリガンドが存在しないと判断する。
【００２７】
本発明の試料溶液中にアリールハイドロカーボン受容体に対するリガンドが存在するか否かを判断する方法の好ましい実施態様においては、試料溶液は環境から採取された試料から調製されたものであり、リガンドはダイオキシン、ベンゾ（ａ）ピレン、又はβ−ナフトフラボンであり、酸化還元性マーカーはＫ４Ｆｅ（ＣＮ）６／Ｋ３Ｆｅ（ＣＮ）６、フェロセン、又はヘキサアミンルテニウム（ＩＩＩ）錯体であり、電流電位特性はサイクリックボルタンメトリー、微分パルスボルタンメトリー、又はアンペロメトリーによって測定される。
【００２８】
本発明の第５の側面によれば、以下の工程を含むことを特徴とする、試料溶液中に存在するアリールハイドロカーボン受容体に対するリガンドの濃度を決定する方法が提供される：
アリールハイドロカーボン受容体に対するリガンドを含有する試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；及び
測定された試料溶液の電流電位特性を、アリールハイドロカーボン受容体に対するリガンドを既知の濃度で含有するコントロール溶液の電流電位特性と比較し、それによって前記試料溶液中に存在するアリールハイドロカーボン受容体に対するリガンドの濃度を決定する。
【００２９】
本発明の試料溶液中に存在するアリールハイドロカーボン受容体に対するリガンドの濃度を決定する方法の好ましい実施態様においては、試料溶液は環境から採取された試料から調製されたものであり、リガンドはダイオキシン、ベンゾ（ａ）ピレン、又はβ−ナフトフラボンであり、酸化還元性マーカーはＫ４Ｆｅ（ＣＮ）６／Ｋ３Ｆｅ（ＣＮ）６、フェロセン、又はヘキサアミンルテニウム（ＩＩＩ）錯体であり、電流電位特性はサイクリックボルタンメトリー、微分パルスボルタンメトリー、又はアンペロメトリーによって測定され、アリールハイドロカーボン受容体に対するリガンドを既知の濃度で含有するコントロール溶液の電流電位特性は、検量線として表されている。
【００３０】
本発明の第６の側面によれば、以下の工程を含むことを特徴とする、化学物質がアリールハイドロカーボン受容体に対する結合活性を有するか否かを判断する方法が提供される：
化学物質を含有する可試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；
測定された試料溶液の電流電位特性を、アリールハイドロカーボン受容体に対するいかなるリガンドをも含有しないコントロール溶液の電流電位特性と比較する；及び
比較の結果、両者の間に有意な差があれば前記化学物質がアリールハイドロカーボン受容体に対する結合活性を有すると判断し、一方両者の間に有意な差がなければ前記化学物質がアリールハイドロカーボン受容体に対する結合活性を有さないと判断する。
【００３１】
本発明の化学物質がアリールハイドロカーボン受容体に対する結合活性を有するか否かを判断する方法の好ましい実施態様によれば、酸化還元性マーカーはＫ４Ｆｅ（ＣＮ）６／Ｋ３Ｆｅ（ＣＮ）６、フェロセン、又はヘキサアミンルテニウム（ＩＩＩ）錯体であり、電流電位特性はサイクリックボルタンメトリー、微分パルスボルタンメトリー、又はアンペロメトリーによって測定される。
【００３２】
本発明の第７の側面によれば、以下の工程を含むことを特徴とする、アリールハイドロカーボン受容体が前記受容体に対するリガンドと結合したときに誘起される前記受容体の構造変化又は機能変化を解析する方法が提供される：
アリールハイドロカーボン受容体に対するリガンドを含有する試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；及び
測定された試料溶液の電流電位特性を解析する。
【００３３】
本発明のアリールハイドロカーボン受容体が前記受容体に対するリガンドと結合したときに誘起される前記受容体の構造変化又は機能変化を解析する方法の好ましい実施態様によれば、リガンドはダイオキシン、ベンゾ（ａ）ピレン、又はβ−ナフトフラボンであり、酸化還元性マーカーはＫ４Ｆｅ（ＣＮ）６／Ｋ３Ｆｅ（ＣＮ）６、フェロセン、又はヘキサアミンルテニウム（ＩＩＩ）錯体であり、電流電位特性はサイクリックボルタンメトリー、微分パルスボルタンメトリー、又はアンペロメトリーによって測定される。
【００３４】
【発明の実施の形態】
本発明のアリールハイドロカーボン受容体固定化電極は（１）導電性基板；（２）導電性基板に対する吸着部位とニッケル錯体又はコバルト錯体に対する２つの錯体配位子とを有する二官能性固定化試薬；（３）ニッケル錯体又はコバルト錯体；及び（４）ヒスチジンタグを有するアリールハイドロカーボン受容体の４つの要素から構成される。本発明のアリールハイドロカーボン受容体固定化電極においては、二官能性固定化試薬は吸着部位を介して導電性基板に固定化され、ニッケル錯体又はコバルト錯体は二官能性固定化試薬の２つの錯体配位子にそれぞれ結合され、アリールハイドロカーボン受容体はヒスチジンタグを介してニッケル錯体又はコバルト錯体に結合されるように構成されている。
【００３５】
本発明のアリールハイドロカーボン受容体固定化電極で用いる導電性基板は、電気化学反応の作用電極としての役割とアリールハイドロカーボン受容体を固定化する支持体としての役割を有する。導電性基板は上述の２つの役割を有するものであればいかなる材料から作ることができるが、例えば金から作られることが安定性の観点から好ましい。
【００３６】
本発明のアリールハイドロカーボン受容体固定化電極で用いる二官能性固定化試薬は、アリールハイドロカーボン受容体を導電性基板に固定化させる役割を有する。二官能性固定化試薬は導電性基板に対する吸着部位とニッケル錯体又はコバルト錯体に対する２つの錯体配位子とを有し、吸着部位を介して導電性基板に固定化されている。吸着部位は導電性基板の材料に応じて適宜選択すればよく、例えば導電性基板として金電極を用いる場合は吸着部位としてジスルフィド基の如きイオウ含有基を用いればよい。ニッケル錯体又はコバルト錯体に対する錯体配位子は特に限定されるものではなく、例えばこの分野で慣用されるニトリロトリ酢酸（ＮＴＡ）やイミノ二酢酸（ＩＤＡ）を用いることができる。
【００３７】
本発明のアリールハイドロカーボン受容体固定化電極で用いる二官能性固定化試薬は錯体配位子と吸着部位との間にリンカー部位が設けられていることが好ましい。二官能性固定化試薬中の２つの官能基（錯体配位子）及び吸着部位の位置は特に限定されないが、二官能性固定化試薬の分子構造の両端にそれぞれ錯体配位子が位置し、分子構造の中央に吸着部位が位置することが電極の感度を向上させるために好ましい。
【００３８】
本発明のアリールハイドロカーボン受容体固定化電極で用いるニッケル錯体又はコバルト錯体は、二官能性固定化試薬とアリールハイドロカーボン受容体を結合させる役割を有する。本発明のアリールハイドロカーボン受容体固定化電極で用いるアリールハイドロカーボン受容体にはヒスチジンタグが付与されている。ヒスチジンタグは少数個（通常５〜１０個）のヒスチジン残基を含む短いアミノ酸配列であり、ヒスチジン残基中のイミダゾール基の存在によりニッケル錯体又はコバルト錯体と強く結合する性質を有する。従って、ニッケル錯体又はコバルト錯体とヒスチジンタグの組合せを用いることにより、アリールハイドロカーボン受容体を二官能性固定化試薬に結合させることができ、結果として導電性電極に好適に固定化することができる。
【００３９】
本発明のアリールハイドロカーボン受容体固定化電極で用いるアリールハイドロカーボン受容体は、特定の化学物質のみと結合することにより本発明のセンサの検出対象の特異性を決定する役割を有する。つまり、アリールハイドロカーボン受容体はダイオキシン類や多環芳香族炭化水素化合物などの環境汚染物質と特異的に結合するため、アリールハイドロカーボン受容体を電極上に固定化した本発明のセンサはダイオキシン類や多官芳香族炭化水素化合物などの環境汚染物質を特異的に検出することができる。
【００４０】
アリールハイドロカーボン受容体の構造は生物種ごとに異なっており、環境汚染物質に対する生物の感受性は生物種によって異なる。従って、ヒトに対する環境の安全性の確認又は化学物質の健康リスクの評価に本発明のセンサを用いる場合、アリールハイドロカーボン受容体はヒト由来であることが好ましい。また、天然のアリールハイドロカーボン受容体を用いることもできるが、得られるアリールハイドロカーボン受容体の収率及び純度の観点からは、アリールハイドロカーボン受容体は組換えアリールハイドロカーボン受容体であることが好ましい。組換えアリールハイドロカーボン受容体は天然のアリールハイドロカーボン受容体のアミノ酸配列全てを含む必要はなく、リガンド結合部位及びＨｓｐ９０結合部位を少なくとも含んでいればその機能を発揮することができる。かかる組換えアリールハイドロカーボン受容体は、当該技術分野で周知の遺伝子組換え技術により簡単に調製することができる。
【００４１】
本発明のアリールハイドロカーボン受容体固定化電極は、電極上に固定化されたアリールハイドロカーボン受容体とリガンドの間の結合を電気化学的シグナルとして検出するものであり、これにより迅速な測定を可能とするものである。
【００４２】
アリールハイドロカーボン受容体は、生体内では通常、細胞質中でシャペロンタンパク質と複合体を形成することにより安定に存在している。リガンドとなる化学物質と結合すると、アリールハイドロカーボン受容体はその立体構造を大きく変化させてシャペロンタンパク質を解離し、細胞核へと輸送される。そしてそこでコアクチベーターであるＡＲＮＴと転写複合体を形成し、これにより標的遺伝子の発現を誘導する。
【００４３】
本発明では、このリガンド誘導的な受容体の構造変化に着目し、これを高感度で電気化学的に検出することに成功した。一般に、受容体とリガンドとの結合には電気化学的な活性が無いため、これを電気化学的に検出するためには何らかの工夫が必要である。本発明においては、測定溶液中に加えておいた電気化学的に活性な分子（酸化還元性マーカー、たとえばフェリシン化イオン，フェロセン，ヘキサアミンルテニウム（ＩＩＩ）錯体など）の、電極表面上に形成されたタンパク質層に対する“透過しやすさ”を指標とすることによって、間接的にタンパク質の性質の変化を捕捉する（図１参照）。即ち、受容体タンパク質にリガンドが結合することにより生ずる受容体タンパク質の構造変化に起因する酸化還元性マーカーの透過性の変化を電気化学的に測定する。一般に電気化学反応は非常に早いため、本発明のアリールハイドロカーボン受容体固定化電極を用いると、受容体タンパク質層の変化をわずか数分で検出することができる。
【００４４】
本発明のアリールハイドロカーボン受容体固定化電極においては、受容体タンパク質はその機能を損なうことなく電極上に固定化されている。固体表面に生体分子の配向を制御した状態で固定化することは、高い選択性を持つセンサを開発する上で非常に重要となる。タンパク質固定化法としては、共有結合、イオン結合及び生化学的親和力などにより固定化する担体結合法、グルタルアルデヒドのような試薬で架橋する架橋法などが一般的である。しかしながらこれらの方法は、固定化に際してタンパク質上のアミノ酸残基が使われるためタンパク質の機能が完全には維持できない問題や、固体表面に対してタンパク質の配向を制御できないなどの問題がある。特に電極上で固定化タンパク質を認識素子として使用する場合、これらの問題は検出機構上、致命的な欠点となる。そこで本発明のアリールハイドロカーボン受容体固定化電極では、機能を保持した状態でタンパク質を固体表面に可逆的に配向させることができるヒスチジンタグ（Ｈｉｓ−Ｔａｇ）法を利用して受容体タンパク質を電極上に固定化し、これによりセンサとしての選択性を高めている。
【００４５】
本発明のアリールハイドロカーボン受容体固定化電極の最大の特徴は、従来公知の電気化学センサと比較して感度が著しく高いことである。これは本発明によればアリールハイドロカーボン受容体を電極上に固定化するための官能性固定化試薬として従来の一官能性固定化試薬の代わりに二官能性固定化試薬を用いることによって達成される。
【００４６】
従来用いられている一官能性固定化試薬は、例えば後述の実施例１で参照する図３の５に示されるようにその分子構造の一端のみに単一の錯体配位子を有する。従って、一官能性固定化試薬を用いた場合には、図２のＡに示されるように導電性基板（電極）上に単一の受容体タンパク質が固定化されるにすぎないと考えられる。
【００４７】
これに対し、本発明のアリールハイドロカーボン受容体固定化電極で用いられる固定化試薬は二官能性固定化試薬であり、２つの官能基、つまり錯体配位子を例えば図３の４に示されるようにその分子構造の両端にそれぞれ有する。従って、二官能性固定化試薬を用いた場合には、図２のＢに示されるように導電性基板（電極）上に２つの受容体タンパク質が互いに近接して固定化されるものと考えられる。
【００４８】
このように二官能性固定化試薬を用いてアリールハイドロカーボン受容体を電極上に固定化することによりセンサの感度が著しく高まる理由はまだ十分明らかになっていないが、二官能性固定化試薬を用いることにより電極上に２つの受容体タンパク質が互いに近接して固定化されるので、固定化の密度が高くなり、受容体タンパク質とリガンドとの結合により誘起されるコンホメーション変化をより的確に検出することができることが考えられる。
【００４９】
次に本発明のアリールハイドロカーボン受容体の固定化電極の製造方法について説明する。
本発明のアリールハイドロカーボン受容体固定化電極の製造方法は以下の（イ）〜（ニ）の工程を含む：
（イ）  以下の（１）〜（４）の要素を準備する：
（１）      導電性基板；
（２）      導電性基板に対する吸着部位とニッケル錯体又はコバルト錯体に    対する２つの錯体配位子とを有する二官能性固定化試薬；
（３）      ニッケル錯体又はコバルト錯体；及び
（４）    ヒスチジンタグを有するアリールハイドロカーボン受容体；
（ロ）  導電性基板に二官能性固定化試薬を吸着部位を介して固定化させる；
（ハ）  二官能性固定化試薬の２つの錯体配位子にそれぞれニッケル錯体又はコバルト錯体を結合させる；及び
（ニ）  ニッケル錯体又はコバルト錯体にアリールハイドロカーボン受容体をヒスチジンタグを介して結合させる。
【００５０】
工程（イ）において準備される４つの要素（１）〜（４）については、本発明のアリールハイドロカーボン受容体固定化電極の説明の部分で詳述しているので、ここでは説明を省略する。
【００５１】
本発明のアリールハイドロカーボン受容体固定化電極の製造方法においては、（ロ）〜（ニ）の各工程が溶液中で行われることが固定化反応又は結合反応の容易性の観点から好ましい。具体的には二官能性固定化試薬の溶液、ニッケル錯体又はコバルト錯体の溶液、及びアリールハイドロカーボン受容体の溶液をそれぞれ調製し、そこに導電性基板を順に浸漬すればよい。各溶液の溶媒は溶質の溶解度や安定性に応じて適宜決定すればよいが、例えば二官能性固定化試薬については水又はクロロホルムを、ニッケル錯体又はコバルト錯体については水を、アリールハイドロカーボン受容体については水を溶媒とすることができる。
【００５２】
次に、本発明の電気化学的分析装置について説明する。本発明の電気化学的分析装置は作用電極としての本発明のアリールハイドロカーボン受容体固定化電極、及び酸化還元性マーカーを含む。酸化還元性マーカーは水溶性でありかつ受容体タンパク質やそのリガンドに悪影響を与えないものであればいかなるものも用いることができるが、例えばＫ４Ｆｅ（ＣＮ）６／Ｋ３Ｆｅ（ＣＮ）６（フェリシン化イオン）、フェロセン又はヘキサアミンルテニウム（ＩＩＩ）錯体であることができる。なお、以下の本明細書中ではＫ４Ｆｅ（ＣＮ）６／Ｋ３Ｆｅ（ＣＮ）６に基づく系を［Ｆｅ（ＣＮ）６」４−／３−と記すことがある。本発明の電気化学的分析装置は上述のアリールハイドロカーボン受容体固定化電極及び酸化還元性マーカーに加えてＡｇ／ＡｇＣｌの如き参照極及びプラチナワイヤの如き対極をさらに含むことができる。また本発明の電気化学的分析装置が行う電気化学的分析は、一般に、サイクリックボルタンメトリー（ＣＶ）、微分パルスボルタンメトリー、又はアンペロメトリーなどの電気化学的測定方法によって電流電位特性を測定することを含むことができる。
【００５３】
本発明の電気化学的分析装置の１つの好ましい具体的実施態様としては、以下のものを含む電気化学的分析装置が挙げられる：酸化還元性マーカー溶液を充填した容器、及び酸化還元性マーカー溶液中に一端を含浸された、作用電極としての本発明のアリールハイドロカーボン受容体固定化電極、参照極並びに対極。かかる電気化学的分析装置は小型化・キット化が容易であり、フィールドで簡便に使用することができる。また、かかる電気化学的分析装置の構成要素は本発明のアリールハイドロカーボン受容体固定化電極を除けば全て汎用品が使用可能であり、コスト的にも有利である。
【００５４】
本発明のアリールハイドロカーボン受容体固定化電極又は本発明の電気化学的分析装置の好ましい用途として、本発明は以下の４つの方法を提供する：
（１）試料溶液中にアリールハイドロカーボン受容体に対するリガンドが存在するか否かを判断する方法；
（２）試料溶液中に存在するアリールハイドロカーボン受容体に対するリガンドの濃度を決定する方法；
（３）化学物質がアリールハイドロカーボン受容体に対する結合活性を有するか否かを判断する方法；及び
（４）アリールハイドロカーボン受容体が前記受容体に対するリガンドと結合したときに誘起される前記受容体の構造変化又は機能変化を解析する方法。
以下、これらの方法について順に説明する。
【００５５】
本発明の試料溶液中にアリールハイドロカーボン受容体に対するリガンドが存在するか否かを判断する方法は以下の工程を含む：
アリールハイドロカーボン受容体に対するリガンドを含有する可能性がある試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；及び
測定された試料溶液の電流電位特性を、アリールハイドロカーボン受容体に対するリガンドを含有しないコントロール溶液の電流電位特性と比較し、両者の間に有意な差があれば前記試料溶液中にアリールハイドロカーボン受容体に対するリガンドが存在すると判断し、一方両者の間に有意な差がなければ前記試料溶液中にアリールハイドロカーボン受容体に対するリガンドが存在しないと判断する。
この方法によれば、ダイオキシン類や多環芳香族炭化水素化合物などの環境汚染物質を短時間でかつ高感度で定性的に検出することができる。
【００５６】
本発明の試料溶液中にアリールハイドロカーボン受容体に対するリガンドが存在するか否かを判断する方法においては、試料溶液として環境から採取された試料から調製された試料溶液を用いることが好ましい。環境中に含まれるアリールハイドロカーボン受容体に対するリガンドは通常極めて微量であるので、試料溶液の調製は濃縮工程を含むことが好ましい。また、本発明の試料溶液中にアリールハイドロカーボン受容体に対するリガンドが存在するか否かを判断する方法においては、存在の有無を判断されるリガンドはダイオキシン、ベンゾ（ａ）ピレン、又はβ−ナフトフラボンであることができる。
また、用いる酸化還元性マーカーは水溶性でありかつ受容体タンパク質やそのリガンドに悪影響を与えないものであればいかなるものも用いることができるが、例えばＫ４Ｆｅ（ＣＮ）６／Ｋ３Ｆｅ（ＣＮ）６（フェリシン化イオン）、フェロセン又はヘキサアミンルテニウム（ＩＩＩ）錯体であることができる。また、電流電位特性の測定は一般に、サイクリックボルタンメトリー、微分パルスボルタンメトリー、又はアンペロメトリーなどの電気化学的測定方法によって行われることができる。
【００５７】
本発明の試料溶液中に存在するアリールハイドロカーボン受容体に対するリガンドの濃度を決定する方法は以下の工程を含む：
アリールハイドロカーボン受容体に対するリガンドを含有する試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；及び
測定された試料溶液の電流電位特性を、アリールハイドロカーボン受容体に対するリガンドを既知の濃度で含有するコントロール溶液の電流電位特性と比較し、それによって前記試料溶液中に存在するアリールハイドロカーボン受容体に対するリガンドの濃度を決定する。
この方法によれば、ダイオキシン類や多環芳香族炭化水素化合物などの環境汚染物質を短時間でかつ高感度で定量的に測定することができる。
【００５８】
本発明の試料溶液中に存在するアリールハイドロカーボン受容体に対するリガンドの濃度を決定する方法においては、試料溶液として環境から採取された試料から調製された試料溶液を用いることが好ましい。環境中に含まれるアリールハイドロカーボン受容体に対するリガンドは通常極めて微量であるので、試料溶液の調製は濃縮工程を含むことが好ましい。また、本発明の試料溶液中に存在するアリールハイドロカーボン受容体に対するリガンドの濃度を決定する方法においては、存在の有無を判断されるリガンドはダイオキシン、ベンゾ（ａ）ピレン、又はβ−ナフトフラボンであることができる。
また、用いる酸化還元性マーカーは水溶性でありかつ受容体タンパク質やそのリガンドに悪影響を与えないものであればいかなるものも用いることができるが、例えばＫ４Ｆｅ（ＣＮ）６／Ｋ３Ｆｅ（ＣＮ）６（フェリシン化イオン）、フェロセン又はヘキサアミンルテニウム（ＩＩＩ）錯体であることができる。また、電流電位特性の測定は一般に、サイクリックボルタンメトリー、微分パルスボルタンメトリー又はアンペロメトリーなどの電気化学的測定方法によって行われることができる。また、アリールハイドロカーボン受容体に対するリガンドを既知の濃度で含有するコントロール溶液の電流電位特性は予め検量線として表しておくことが好ましい。
【００５９】
本発明の化学物質がアリールハイドロカーボン受容体に対する結合活性を有するか否か判断する方法は以下の工程を含む：
化学物質を含有する可試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；
測定された試料溶液の電流電位特性を、アリールハイドロカーボン受容体に対するいかなるリガンドをも含有しないコントロール溶液の電流電位特性と比較する；及び
比較の結果、両者の間に有意な差があれば前記化学物質がアリールハイドロカーボン受容体に対する結合活性を有すると判断し、一方両者の間に有意な差がなければ前記化学物質がアリールハイドロカーボン受容体に対する結合活性を有さないと判断する。
この方法によれば、短時間かつ高感度で化学物質の健康リスクを評価することができる。
【００６０】
本発明の化学物質がアリールハイドロカーボン受容体に対する結合活性を有するか否かを判断する方法において用いる酸化還元性マーカーは水溶性でありかつ受容体タンパク質やそのリガンドに悪影響を与えないものであればいかなるものも用いることができるが、例えばＫ４Ｆｅ（ＣＮ）６／Ｋ３Ｆｅ（ＣＮ）６（フェリシン化イオン）、フェロセン又はヘキサアミンルテニウム（ＩＩＩ）錯体であることができる。また、電流電位特性の測定は一般に、サイクリックボルタンメトリー、微分パルスボルタンメトリー、又はアンペロメトリーなどの電気化学的測定方法によって行われることができる。
【００６１】
本発明のアリールハイドロカーボン受容体が前記受容体に対するリガンドと結合したときに誘起される前記受容体の構造変化又は機能変化を解析する方法は以下の工程を含む：
アリールハイドロカーボン受容体に対するリガンドを含有する試料溶液を準備する；
本発明のアリールハイドロカーボン受容体固定化電極を作用電極とし、酸化還元性マーカーの存在下に前記試料溶液の電流電位特性を測定するか又は本発明の電気化学的分析装置を用いて前記試料溶液の電流電位特性を測定する；及び
測定された試料溶液の電流電位特性を解析する。
この方法によれば、アリールハイドロカーボン受容体がリガンドと結合したときに誘起される受容体の構造変化又は機能変化を好適に解析することができる。
【００６２】
本発明のアリールハイドロカーボン受容体が前記受容体に対するリガンドと結合したときに誘起される前記受容体の構造変化又は機能変化を解析する方法においては、アリールハイドロカーボンに対するリガンドとしてダイオキシン、ベンゾ（ａ）ピレン、又はβ−ナフトフラボンを用いることができる。
また、用いる酸化還元性マーカーは水溶性でありかつ受容体タンパク質やそのリガンドに悪影響を与えないものであればいかなるものも用いることができるが、例えばＫ４Ｆｅ（ＣＮ）６／Ｋ３Ｆｅ（ＣＮ）６（フェリシン化イオン）、フェロセン又はヘキサアミンルテニウム（ＩＩＩ）錯体であることができる。また、電流電位特性の測定は一般に、サイクリックボルタンメトリー、微分パルスボルタンメトリー、又はアンペロメトリーなどの電気化学的測定方法によって行われることができる。
【００６３】
以下、実施例により本発明を具体的に説明するが、本発明はこれらの実施例に限定されるものではない。
【００６４】
実施例１：アリールハイドロカーボン受容体固定化電極の作製
（１）二官能性固定化試薬の設計及び合成
この実施例で設計・合成した二官能性固定化試薬は、図３の（４）に示す構造式から成り、ジスフィルド基の両端にリンカー部位を介してニトリロトリ酢酸（ＮＴＡ：配位子）が連結されて構成されている。その合成手順は以下の通りである（図３参照）。Ｎα´，Ｎα−ビス（カルボキシルメチル）−Ｌ−リジン水和物（１）１４０ｍｇをジイイソプロピルエチルアミン（ＤＩＥＡ）１０３５ｍｇを含む３ｍｌＤＭＦに溶解した。１０分間窒素置換後、トリメチルシリルクロリド［（ＣＨ３）３ＳｉＣｌ］８７０ｍｇを少量ずつ添加しながら、室温、窒素雰囲気下で２時間反応させ、カルボキシル基の保護を行った。得られた化合物（２）に半当量の３，３´−ジチオジプロピオンサンジ（Ｎ−スクシンイミジル）〔ＤＴＰＳ、（３）〕を溶解したＤＭＦ１．５ｍｌを加え、室温、窒素雰囲気下で２日間撹拌した。反応溶液に７ｍｌの酒石酸水溶液を加えて十分に振とうした後、これにジクロロメタン１５ｍｌを加えて有機相を抽出した。抽出操作は２度行った。溶媒を減圧濃縮後、ジクロロメタン１．５ｍｌに再溶解した。精製はプレパラティブＴＬＣ（薄層クロマトグラフィー）により行い、２５０ＭＨｚ  １Ｈ−ＮＭＲを用いて生成物（４）を確認した。
【００６５】
（２）大腸菌を用いたアリールハイドロカーボン受容体の発現
ヒトアリールハイドロカーボン受容体のドメイン構造は図４のようになっている。本実施例ではリガンド結合部位、Ｈｓｐ９０結合部位を含む部分（１０２−４４６ａａ）をヒスチジンタグと融合した組換えヒトアリールハイドロカーボン受容体を設計した。発現ベクター（ｐＧＥＸ−５Ｘ−１  ＡｈＲ１０２）は図５に示したプロトコールにより構築した。各段階において制限酵素処理およびＤＮＡシーケシングにより、その配列を確認した。
発現ベクターとシャペロン分子ＧｒｏＥＬ発現ベクターを宿主菌ＢＬ２１（ＤＥ３）に形質転換し、３０℃で一晩静置培養した。この溶液０．５ｍｌを、抗生物質を含む２×ＹＴ培地５０ｍｌに接種し、ＯＤ６００＝０．５〜０．６になるまで３７℃で振とう培養した。所定の菌密度に達した後、終濃度０．５ｍＭのＩＰＴＧを添加し、２７℃において組換えアリールハイドロカーボン受容体を発現した。０，１，２，３，４，５ｈにおけるサンプル（１ｍｌ）を分取し、遠心分離により上澄みを取り除いた。分取したサンプルに１５０μｌの２×ＳＤＳ−ＰＡＧＥサンプル緩衝液（５０ｍＭ  Ｔｒｉｓ−ＨＣｌ  ｐＨ６．８、２％ＳＤＳ、１０％  グリセロール、０．１％  ＣＢＢ、２％  ２−メルカプトエタノール）を添加し、８％ＳＤＳ−ＰＡＧＥを行った。また、タンパクの溶解性を確認するために３ｈにおけるサンプルに１５０μｌの溶解緩衝液（５０ｍＭ  Ｔｒｉｓ−ＨＣｌｐＨ８、２ｍＭ  ＥＤＴＡ、１００μｇ／ｍｌ  リゾチーム）を添加し、３０℃で１５ｍｉｎインキュベート後、超音波照射してから遠心分離し、上澄み（可溶性タンパク質）と沈殿（不溶性タンパク質）とに分けた。それぞれに１５０μｌの２×ＳＤＳ−ＰＡＧＥサンプル緩衝液を添加し、ＳＤＳ−ＰＡＧＥにより分析した。この結果、目的とする分子量約６８ｋＤａ付近に時間の経過とともに増加するバンドが見られ、目的タンパク質の発現を確認することができた（図６）。また、同じサンプルを抗ヒスチジンタグ抗体ＨＲＰコンジュゲートにより免疫染色したところ、期待した位置に目的タンパク質の発現が確認された（図７）。
【００６６】
（３）ヒトアリールハイドロカーボン受容体の精製
ＩＰＴＧによる発現誘導後の菌を遠心分離により回収し、溶解緩衝液（５０ｍＭリン酸緩衝液、ｐＨ８．０、５ｍＭ  ＮａＭＢＳ、０．１ｍＭ  ＰＭＳＦ、５ｍＭ  ２−メルカプトエタノール）１８ｍｌを加えて懸濁させ、−８０℃で凍結した。これを再び融解し、１０ｍｇ／ｍｌリゾチーム溶液を１．８ｍｌ加えて４℃で１５ｍｉｎインキュベート後、プローブ型超音波照射装置を用いて超音波照射を行った。これに終濃度がそれぞれ１μｇ／ｍｌ、５μｇ／ｍｌとなるようにＲＮａｓｅ、ＤＮａｓｅを加えて４℃でインキュベートし、さらに０．１％  ＮＰ−４０  ３００ｍＭ  ＮａＣｌをそれぞれ加え、遠心分離により上澄み（可溶性画分）を分離した。Ｎｉキレートカラムに０．１Ｍ  ＮｉＳＯ４水溶液を注入し、１０ｍＭ  イミダゾール緩衝液（５０ｍＭ  リン酸緩衝液，ｐＨ６．０、３００ｍＭ  ＮａＣｌ、５ｍＭ  ＮａＭＢＳ、０．１ｍＭ  ＰＭＳＦ、５ｍＭ  ２−メルカプトエタノール、１０％グリセロール）でカラムを平衡化した後に、粗タンパク溶液を注入した。８０ｍＭ  イミダゾール緩衝液で洗浄後、５００ｍＭ  イミダゾール緩衝液で目的タンパク質の溶出を行い、最後にＥＤＴＡ溶液でカラムを洗浄した。各画分をＳＤＳ−ＰＡＧＥで分析したところ、５００ｍＭ  イミダゾール緩衝液による溶出成分（レーン５）に目的とする組換えヒトダイオキシン受容体の精製が確認できた（図８）。得られたタンパク質はシングルバンドであり、分解生成物は全く観察されなかった。
【００６７】
（４）アリールハイドロカーボン受容体固定化電極の作製
金ディスク電極（電極面積０．０８ｃｍ２）をアルミナ研磨剤で十分に研磨した後、さらに０．１  Ｍ  Ｈ２ＳＯ４  ／  １０ｍＭ  ＫＣｌ水溶液を用いて電解研磨した。（１）で合成した末端チオール化二官能性ニトリロトリ酢酸（ＮＴＡ）誘導体を水に溶解し、研磨した金電極をこの溶液５０μｌに４℃で３時間浸漬した。その後電極を純水で洗浄した後、窒素ガスで乾燥させた。これを再び０．１ＭＮｉＳＯ４水溶液３０μｌに１０分間浸漬し、Ｎｉ（ＩＩ）−ＮＴＡ錯体を形成させた。この電極を（３）で精製した末端に連続（５〜１０個）するヒスチジン残基（Ｈｉｓ−タグ）を遺伝子レベルで融合したヒトアリールハイドロカーボン受容体水溶液に４℃で１０分間浸漬し、洗浄用緩衝液（１００ｍＭ  ＫＣｌ，１０ｍＭ  Ｔｒｉｓ−ＨＣｌ（ｐＨ  ７．４））で十分に洗浄し、アリールハイドロカーボン受容体固定化電極を作製した。
【００６８】
固定化の各段階における確認をサイクリックボルタンメトリー（ＣＶ測定）（測定溶液；５０ｍＭ  ＨＥＰＥＳ−ＫＯＨ、ｐＨ７．２、５ｍＭ  フェロシアン・フェリシアン化カリウム、１００ｍＭ  ＫＣｌ、５ｍＭ  ＭｇＣｌ２）により行った（図９）。この結果、未修飾（ｂａｒｅ）の状態と比較して、ＮＴＡ固定化後（図中ＮＴＡ−ｍｏｄｉｆｉｅｄ）のＣＶ測定では、マーカーイオン  ［Ｆｅ（ＣＮ）６］４−／３−  由来の酸化・還元ピーク電流値の減少が見られた。これはＮＴＡの固定化により金電極表面が負電荷に被覆されたために、静電的反発がおこり、マーカーイオンが電極表面に近づきにくくなったために減少したものと思われる。また、アリールハイドロカーボン受容体固定化後（図中ｒＡｈＲ−ｉｍｍｏｂｉｌｉｚｅｄ）にもピーク電流値の減少が観察された。これは巨大なタンパク質が電極上に固定化されたことによって、立体障害によりマーカーイオンの電極表面への拡散性が低下したことが原因であると思われる。以上の結果から、アリールハイドロカーボン受容体は期待したとおり金電極上に固定化されたものと判断した。
【００６９】
なお、比較のために図３において（５）として示す一官能性固定化試薬を用いてもアリールハイドロカーボン受容体固定化電極を作製した。この一官能性固定化試薬を用いる受容体固定化電極は、図３に示す固定化試薬の合成工程において化合物（２）と（３）とを等量反応させることを除いては、上述の二官能性固定化試薬を用いる場合と同様の工程を経て作製したものである。
【００７０】
実施例２：リガンド分子のセンシング
次に金電極上に固定化した受容体が正常なリガンド結合能を保持しているかを確認するため、アリールハイドロカーボン受容体に対する代表的なリガンド分子であり、なおかつ発癌性物質として知られるベンゾ（ａ）ピレンを電極に作用させ、その時の電気化学的応答をサイクリックボルタンメトリー（ＣＶ）法により観察した。すなわち、実施例１に従い二官能性固定化試薬を用いて作製したヒトアリールハイドロカーボン受容体固定化電極を作用電極とし、これに１０ｎＭから１０μＭのベンゾ（ａ）ピレン含有試料溶液〔１０ｍＭのトリス緩衝液、ｐＨ７．４、［ＫＣｌ］＝１０ｍＭ、［Ｆｅ（ＣＮ）６］４−／３−＝５ｍＭ（酸化還元性マーカー）、２５℃〕を作用させて、サイクリックボルタンメントリー（ＣＶ）により電流電圧特性を測定した。
【００７１】
測定結果を図１０に示す。なお、参考のためにアリールハイドロカーボン受容体を固定化していない未修飾電極について同様に実施したＣＶ測定結果を図１１に、また、比較のために、一官能性固定化試薬を用いて作製したヒトアリールハイドロカーボン受容体固定化電極について同様に実施したＣＶ測定結果を図１２に示す。
【００７２】
図１０に示したように、受容体固定化電極によって観測された還元電流値は、１０ｎＭから１０μＭのベンゾ（ａ）ピレンに対して濃度依存的に減少した。対照的に、アリールハイドロカーボン受容体を固定化していない未修飾電極では、同濃度のベンゾ（ａ）ピレンを加えてもその電気化学応答には全く変化がなかった（図１１）。すなわち図１０において観察された電流値の変化は、金電極上に固定化されたアリールハイドロカーボン受容体による特異的な現象であり、リガンドと受容体との結合を反映した結果である。一方、図１２に示されるように、一官能性固定化試薬から作製されたヒトアリールハイドロカーボン受容体固定化電極の場合、１００ｎＭのベンゾ（ａ）ピレンを添加した際においてもその電極応答は極めてわずかであり、二官能性固定化試薬を用いた場合に応答感度が著しく向上していることが分かる（図１２の右側のピーク電位（還元波）の下がり方を図１０の右側のピーク電位の下がり方と比較されたい。なお、図１２の左側のピーク電位の下がり方は図１０の左側のピーク電位の下がり方と比べてそれほど変化していないが、これはおそらく受容体タンパク質の変化に由来するものではなく、試料溶液中に添加していたジチオスレイトール（タンパク質変性防止剤）に由来するものである）。
【００７３】
次に本発明に従う電極の汎用性を調べるために、アリールハイドロカーボン受容体に特異的なリガンド分子であるβ−ナフトフラボンを作用させたところ、ベンゾ（ａ）ピレンの場合と同様にピーク電流値の減少が観察された（図１３）。また、比較のために、一官能性固定化試薬を用いて作製したヒトアリールハイドロカーボン受容体固定化電極にβ−ナフトフラボンを作用させたところ、１００ｎＭのβ−ナフトフラボンを添加した際においてもその電極応答は極めてわずかであり（図１４）、二官能性固定化試薬を用いた場合の応答感度の向上が改めて確認された。そこで本発明に従う電極のこれらのリガンドに対する応答特性を詳しく調べるために、種々の濃度のリガンド分子を添加したときのピーク電流の減少量（Δｉｐ）との関係をプロットしたところ、本発明に従うアリールハイドロカーボン受容体固定化電極はベンゾ（ａ）ピレン、β−ナフトフラボンに対して濃度依存的な優れた応答特性を示すことが明らかとなった（図１５）。２つのリガンドに対する感度の差は、アリールハイドロカーボン受容体のリガンド親和性の差を示しており、この傾向（β−ナフトフラボン＞ベンゾ（ａ）ピレン）は培養細胞を用いた場合と非常によい相関を示した。つまり本発明のセンシングシステムは、無細胞評価系でありながら生細胞におけるリガンド−受容体間の特異的な結合を非常に良く再現することが可能である。また０．１ｎＭ（１０−１０Ｍ）という検出感度は、放射ラベル化試薬を用いる測定法や酵素反応を利用した検出法に匹敵し、本発明のセンサが高い性能を有することが示された。特筆すべき点は、この検出システムの測定時間がわずか３分以内である点である。先に述べたように、従来法は５時間から１間程度を要しており、本発明のセンサを用いることで極めて短い時間での分析が可能となる。
【００７４】
考察
本発明のセンシングシステムではマーカーイオンの電極表面上に形成されたタンパク質層に対する“透過しやすさ”を検出機構としていることから、リガンド添加時におけるピーク電流値の減少は電極上に固定化されたアリールハイドロカーボン受容体がそのリガンドと結合することによってその物性を変化させ、結果的にタンパク質層全体の性質がマーカーイオン透過性に影響を与えたためであるとするのが妥当であろう。アリールハイドロカーボン受容体はリガンドとの結合によって、その立体構造を変化させコアクチベーターＡＲＮＴとヘテロ二量体を形成することが知られている。本発明者らは以前に、ヒトエストロゲン受容体を固定化した電極において、そのリガンド誘導的なコンホメーション変化に基づくタンパク質表面の荷電状態の変化（負電荷量の増加）がマーカーイオン（［Ｆｅ（ＣＮ）６］４−／３−）の透過性に著しい影響を及ぼすことを明らかにしている。おそらく本発明のアリールハイドロカーボン受容体固定化電極においても同様な理由によってマーカーイオン透過性が減少したものと推察される（図１）。
これらの結果より、実施例１で作製したヒトアリールハイドロカーボン受容体を認識素子とするバイオセンサが、ベンゾ（ａ）ピレン及びβ−ナフトフラボンを代表とするリガンド分子に対して良好な電気化学的応答を示すことが明らかとなった。
【００７５】
【発明の効果】
本発明では電極上にアリールハイドロカーボン受容体を固定化し、リガンドとの結合や複合体の形成など、機能発現に際して誘起されるコンホメーションならびにタンパク質表面物性の変化を電気化学的に捉えることのできる新しいダイオキシン類検出法を開発した。
【００７６】
内分泌攪乱物質、なかでもダイオキシン類は生物の生存に関わる新しい環境問題として近年急速に関心が高まっており、環境中に放出されたおよそ１０万種に及ぶとされる化学物質の科学的なリスクアセスメントが急務となっている。内分泌撹乱物質は生体機構に直接作用することで、生殖、神経、そして免疫系に重篤な損傷を与える可能性が危惧されているが、この作用機構の鍵となるのが、化学物質とその受容体との結合である。従来、生細胞や動物、あるいは放射標識レセプターを使って評価されてきたが、今後１０万種といわれる化学物質を系統的にリスク評価するためには、より高速、高精度な評価システムの開発が不可欠である。特にダイオキシン類等は体内の代謝系によって様々な物質へ変換されてしまうことから、それら代謝物の分析も加味すると測定対象は膨大な種類にのぼる。
【００７７】
受容体タンパク質を認識素子とするこの新しいバイオアフィニティーセンサは、アリールハイドロカーボン受容体の代表的なリガンド分子であるベンゾ（ａ）ピレン及びβ−ナフトフラボンに対して良好な電気化学的応答を示した。その検出感度は現在最も感度の良い方法であるＲＩ標識リガンドを用いたアッセイ法や、抗原抗体反応を利用した手法に匹敵した（検出下限１０−１０Ｍ）。特に注目すべき点は、本検出システムの測定速度である。現在、内分泌撹乱物質のプレスクリーニング試験法として様々なｉｎ  ｖｉｔｒｏアッセイが提案されているが、最も早い方法で５時間、その他培養細胞を用いる系では分析に一週間程度を要している。これらのアッセイ系に対して、本リスク評価システムでは測定物質の添加からシグナル検出まで３分という極めて短時間でアリールハイドロカーボン受容体に対するリガンド活性の評価が可能である。
【００７８】
本システムはマイクロチップ化・小型化が容易なことから、環境モニタリング装置としても有効であり、環境中における内分泌攪乱物質の動態を明らかにすることによって、化学物質の環境コンバートメントの一端を知る手がかりとなるであろう。
【図面の簡単な説明】
【図１】アリールハイドロカーボン受容体固定化電極による電気化学的応答の概念図である。
【図２】本発明のアリールハイドロカーボン受容体固定化電極の構造を模式的に示す図である。
【図３】本発明において用いられる二官能性固定化試薬の好ましい例の合成工程を示す模式図である。
【図４】ヒトアリールハイドロカーボン受容体のドメイン構造を示す模式図である。
【図５】発現ベクターの構築プロトコールを示す模式図である。
【図６】ＳＤＳ−ＰＡＧＥによるヒトアリールハイドロカーボン受容体の発現解析を示す。
【図７】ウェスタンブロットによるヒトアリールハイドロカーボン受容体の確認結果を示す。
【図８】アフィニティークロマトグラフィーによるヒトアリールハイドロカーボン受容体の精製結果を示す。
【図９】本発明に従う、二官能性固定化試薬を用いたアリールハイドロカーボン受容体固定化電極の製造の各段階において測定したサイクリックボルタンメトリー応答を示す。
【図１０】本発明に従い、二官能性固定化試薬から作製されたアリールハイドロカーボン受容体固定化電極を用いて測定したベンゾ（ａ）ピレンに対するサイクリックボルタンメトリー応答を示す。
【図１１】参考のために、アリールハイドロカーボン受容体を固定化していない未修飾電極を用いて測定したベンゾ（ａ）ピレンに対するサイクリックボルタンメトリー応答を示す。
【図１２】比較のために、一官能性固定化試薬から作製されたアリールハイドロカーボン受容体固定化電極を用いて測定したベンゾ（ａ）ピレンに対するサイクリックボルタンメトリー応答を示す。
【図１３】本発明に従い、二官能性固定化試薬から作製されたアリールハイドロカーボン受容体固定化電極を用いて測定したβ−ナフトフラボンに対するサイクリックボルタンメトリー応答を示す。
【図１４】比較のために、一官能性固定化試薬から作製されたアリールハイドロカーボン受容体固定化電極を用いて測定したβ−ナフトフラボンに対するサイクリックボルタンメトリー応答を示す。
【図１５】本発明に従うアリールハイドロカーボン受容体固定化電極を用いて行ったベンゾ（ａ）ピレン及びβ−ナフトフラボンに対するサイクリックボルタンメトリー応答を示す。
【図１】
2004264174.tif 000003
【図２】
2004264174.tif 000004
【図３】
2004264174.tif 000005
【図４】
2004264174.tif 000006
【図５】
2004264174.tif 000007
【図６】
2004264174.tif 000008
【図７】
2004264174.tif 000009
【図８】
2004264174.tif 000010
【図９】
2004264174.tif 000011
【図１０】
2004264174.tif 000012
【図１１】
2004264174.tif 000013
【図１２】
2004264174.tif 000014
【図１３】
2004264174.tif 000015
【図１４】
2004264174.tif 000016
【図１５】
2004264174.tif 000017